(57)【特許請求の範囲】
【請求項１】
ドアの内壁を形成し、互いに離隔された多数個のリブを有するインナーケースと、
前記リブの間に設けられ、前記リブに結合される両端部を有する結合部材と、
前記結合部材に結合され、前記インナーケースの内壁から離隔してカン収納空間を形成する支持部材と、
前記支持部材の下に位置し、前記カン収納空間を通して落下するカンを停止させる止め部材と、
前記リブに設けられ、前記結合部材の各端部が着脱可能に収容される開口部を有する少なくとも一つ以上の結合突起と、
を含む冷蔵庫のカン収納装置。
【請求項２】
前記結合突起は‘Ｕ’字状である請求項１記載の冷蔵庫のカン収納装置。
【請求項３】
前記結合突起は前記開口部がドアの内壁に向かうように、所定の角度で傾斜して設けられる請求項２記載の冷蔵庫のカン収納装置。
【請求項４】
前記結合突起は前記インナーケースと一体に形成される請求項１記載の冷蔵庫のカン収納装置。
【請求項５】
前記結合突起は前記リブに取り付けられる請求項１記載の冷蔵庫のカン収納装置。
【請求項６】
前記カン収納区間は投入口を有する請求項１記載のカン収納装置。
【請求項７】
前記カン収納空間は前記止め部材の近傍に引き出し口を有する請求項１記載の冷蔵庫のカン収納装置。
【請求項８】
前記カン収納空間は多数個のカンを収納できる容積を有する請求項１記載の冷蔵庫のカン収納装置。
【請求項９】
ドアの内壁を形成し、互いに離隔した多数個のリブを有するインナーケースと、
前記リブの間に設けられ、該リブに結合される両端部を有する結合部材と、
前記結合部材に結合され、前記インナーケースの内壁から離隔してカン収納空間を形成する支持部材と、
前記支持部材の下に位置し、前記カン収納空間を通して落下するカンを停止させる止め部材と、
前記カン収納空間を通して落下するカンの速度を減速する減速手段とを含み、前記減速手段は前記支持部材に連結され、前記支持部材と前記ドアの内壁との間の空間を減らす方向に前記支持部材に復元力を加える弾性部材を含む冷蔵庫のカン収納装置。
【請求項１０】
前記結合部材は前記弾性部材の復元力によって回転する請求項９記載の冷蔵庫のカン収納装置。
【請求項１１】
前記弾性部材は、
前記支持部材と前記ドアの内壁との間に設けられ、前記支持部材を前記ドアの内壁側に引っ張るスプリングである請求項９記載の冷蔵庫のカン収納装置。
【請求項１２】
前記減速手段は前記リブの間に設けられる固定バーを更に含む請求項９記載の冷蔵庫のカン収納装置。
【請求項１３】
前記弾性部材は、
前記固定バーと前記支持部材との間に設けられ、前記支持部材をドアの内壁側に押すスプリングである請求項１２記載の冷蔵庫のカン収納装置。
【請求項１４】
前記カン収納空間は投入口を有する請求項９記載の冷蔵庫のカン収納装置。
【請求項１５】
前記カン収納空間は前記止め部材の近傍に引き出し口を有する請求項９記載の冷蔵庫のカン収納装置。
【請求項１６】
前記カン収納空間は多数個のカンが収納可能な容積を有する請求項９記載の冷蔵庫のカン収納装置。
【請求項１７】
前記止め部材は、前記カンの取出しのために中心部が開放されている、請求項１または９に記載の冷蔵庫のカン収納装置。
【請求項１８】
前記止め部材は、
前記リブから前記カン収納空間の中心部に向けて所定の長さだけ延長する一対の結合部と、
前記結合部から前記ドアの内壁に向けて所定の長さだけ延長する一対の支持部と、
前記支持部を連結する連結部とを含む請求項１７記載の冷蔵庫のカン収納装置。
【請求項１９】
前記止め部材は一つの一体化した部材の請求項１７記載の冷蔵庫のカン収納装置。
【請求項２０】
前記カン収納空間は前記支持部材の上部に投入口を有する請求項１７記載の冷蔵庫のカン収納装置。
【請求項２１】
前記カン収納空間は多数個のカンを収納できる容積を有する請求項２０記載の冷蔵庫のカン収納装置。
【請求項２２】
カン収納空間を形成する第１本体及び第２本体から構成され、前記第１本体と第２本体は投入部と引き出し部を形成する収納容器と、
前記第１本体と前記第２本体に設けられ、前記収納容器を庫内の棚に固定する固定手段と、
前記第１本体と第２本体とを結合し、その第１本体と第２本体との間隔を調節してカン収納空間の幅を変化せしめる結合手段と、
を含む冷蔵庫のカン収納装置。
【請求項２３】
前記結合手段は、
前記第１本体と前記第２本体とにそれぞれ設置され、スライドホールを有する結合部と、
前記第１本体のスライドホールと前記第２本体のスライドホールとに共通に挿入され、前記第１本体と前記第２本体との間隔を調節するように、前記スライドホールに沿って摺動を行うスライドバーとを含む請求項２２記載の冷蔵庫のカン収納装置。
【請求項２４】
前記スライドバーは、前記スライドホールから分離されることを防止する請求項２３記載の冷蔵庫のカン収納装置。
【請求項２５】
前記結合部は前記第１本体と前記第２本体との底面に設けられる請求項２３記載の冷蔵庫のカン収納装置。
【請求項２６】
前記結合部は前記第１本体と前記第２本体との正面に設けられる請求項２４記載の冷蔵庫のカン収納装置。
【請求項２７】
前記固定手段は係止溝を有するフック部材である請求項２２記載の冷蔵庫のカン収納装置。
【請求項２８】
前記第１本体と前記第２本体との間に設けられ、底面を形成するプレートを更に含む請求項２２記載の冷蔵庫のカン収納装置。
【請求項２９】
前記引き出し部は上向きに傾斜するように延長し、カンの自然落下を防止する支持ガイドを更に含む請求項２２記載の冷蔵庫のカン収納装置。
【請求項３０】
前記第１本体と前記第２本体は上部面を有する請求項２２記載の冷蔵庫のカン収納装置。
【請求項３１】
前記カン収納空間は多数個のカンを収納できる容積を有する請求項２２記載の冷蔵庫のカン収納装置。
【請求項３２】
ドアの内壁を形成し、互いに離隔した多数個のリブを有するインナーケースと、
前記リブの間に設けられる結合部材と、
前記結合部材に結合され、前記インナーケースの内壁から離隔してカン収納空間を形成する支持部材と、
前記支持部材の下に位置し、前記カン収納空間を通して落下するカンを停止させる止め部材と、
前記リブに設けられ、前記結合部材の端部が脱着可能に収容される開口部を有する少なくとも一つ以上の結合突起とを含むカン収納装置を有する冷蔵庫。
【請求項３３】
側壁と内壁を有し、前記内壁から離隔したリブを有するインナーケースと、
前記側壁の間に設けられる少なくとも一つ以上の結合部材と、
前記結合部材に結合され、前記インナーケースの内壁から離隔してカンの収納空間を形成する支持部材と、
前記支持部材の下に位置し、前記カン収納空間を通して落下するカンを停止させる止め部材と、
前記カン収納空間を通して落下するカンの速度を減速する減速手段とを含み、前記減速手段は前記支持部材に連結され、前記支持部材と前記ドアの内壁との間の空間を減らす方向に前記支持部材に復元力を加える弾性部材を含む、カン収納装置を有する冷蔵庫。
【請求項３４】
前記止め部材は、前記カンの取出しのために中心部が開放されている、請求項３２または３３に記載のカン収納装置を有する冷蔵庫。
【請求項３５】
カン収納空間を形成する第１本体及び第２本体から構成され、前記第１本体と第２本体は投入部と引き出し部を形成する収納容器と、
前記収納容器に設けられ、該収納容器を庫内の棚に固定する固定手段と、
前記第１本体と第２本体とを結合し、該第１本体と第２本体との間隔を調節してカン収納空間の幅を変化せしめる結合手段と、
を含むカン収納装置を有する冷蔵庫。
【発明の詳細な説明】
【０００１】
【発明の属する技術分野】
本発明は冷蔵庫に関し、特に冷蔵庫のカン収納装置に関する。
【０００２】
【従来の技術】
一般に、冷蔵庫は内部に冷凍室と冷蔵室が備えられ、前記冷凍室と冷蔵室を一定の低温で維持する機器である。このために、前記冷蔵庫は圧縮機、凝縮器、毛細管及び蒸発器から構成される冷凍サイクルによって作動する。この際、前記蒸発器の冷媒管路を介して低温低圧の液状冷媒が通り抜けるし、その液状冷媒は蒸発器の周囲の空気から熱を奪って気化する。これにより、前記蒸発器の周囲の空気は低温化し、前記冷凍室及び冷蔵室に供給されて庫内の温度を一定の低温で維持することができる。
【０００３】
冷蔵庫の前面には冷蔵室と冷凍室を開閉するドアが設けられる。この際、前記冷蔵室用ドアの背面又は冷蔵室の内部に多数個のカンを格納できるカン収納装置が取り付けられる。
【０００４】
以下、従来技術による冷蔵庫のカン収納装置の構造及び作用を概略的に説明する。
【０００５】
図１１に示すように、前記冷蔵室用ドア１はスチル材の鋼板から構成されるアウトケース２と、該アウトケース２に結合され、前記冷蔵室用ドア１の内壁を構成するインナーケース３とから構成されている。この際、前記アウトケース２とインナーケース３との間にはポリウレタンからなる断熱材（図示せず）が設けられる。
【０００６】
前記冷蔵室用ドア１の背面、即ち、前記インナーケース３上にカン収納装置が設けられる。
このために、前記インナーケース３には前記冷蔵室用ドア１の長手方向に沿って突出した多数個のリブ４ａ，４ｂ，４ｃが形成され、該リブの間には所定の間隔が維持される。前記リブはインナーケース３の中央部に形成された区画リブ４ｃを中心に、図面上左側に形成される左側リブ４ａと右側に形成される右側リブ４ｂとから構成されている。
この際、前記リブ４ａ，４ｂ，４ｃはフォーミング加工などによって前記インナーケース３と一体に形成される。
【０００７】
そして、カン収納空間１０を形成するために、前記左側リブ４ａと区画リブ４ｃとの間に支持部材６が設けられ、その支持部材の下に止め部材７が設けられる。
前記支持部材６は縦方向に沿って形成され、カンの収納を案内する縦バー６ａと、前記左側リブ４ａ及び区画リブ４ｃに結合され、前記縦バー６ａを固定する上部の横バー６ｂと下部の横バー６ｃとから構成されている。この際、前記縦バー６ａとインナーケース３の壁面との間にカン収納空間１０が形成される。この収納空間１０にカンが横にされた状態に収納される。
【０００８】
前記止め部材７は両端がそれぞれ前記左側リブ４ａと区画リブ４ｃとに結合される棒状の部材として、前記カン収納空間１０を通して落下するカンを強制的に停止させる機能を果たす。
この際、前記支持部材６と止め部材７の設置のために、前記左側リブ４ａと区画リブ４ｃの互いに向き合う側壁上に多数個の結合孔５ａ，５ｂ，５ｃが形成される。一例として、前記区画リブ４ｃの側壁に、前記上部横バー６ｂが挿入される第１結合孔５ａと、前記下部横バー６ｃが挿入される第２結合孔５ｂ及び、前記止め部材７が挿入される第３結合孔５ｃが形成される。勿論、前記左側リブ４ａの隔壁にも前記第１乃至第３結合孔が形成される。
【０００９】
図１２に示すように、前記縦バー６ａの上端とインナーケース３の壁面との間に投入口８が形成され、前記縦バー６ａの下端と止め部材７との間に引き出し口９が形成される。従って、カン１１が前記投入口８を介して横にされた状態に投入されると、前記カンはカン収納空間１０を通して自然落下を行う。この際、前記カン１１は止め部材７によって停止し、これにより、前記カン収納空間１０に多数のカンが横にされた状態に積載される。
【００１０】
【発明が解決しようとする課題】
しかしながら、上述したカン収納装置は次のような問題点を抱えていた。
【００１１】
第一に、前記支持部材６と止め部材７の設置のために、前記リブ４ａ，４ｃに多数個の結合孔５ａ〜５ｃが形成される必要がある。この際、前記結合孔はインナーケース３に形成されているため、前記インナーケース３とアウトケース２との間に設けられた断熱材が前記結合孔を通して漏洩されるような問題点が引き起こされた。
【００１２】
第二に、前記支持部材６と止め部材７を前記結合孔５ａ〜５ｃに挿入するために、前記リブ４ａ，４ｃの間に前記支持部材６と止め部材７の横長より長い間隔が一時的に形成される必要がある。このために、前記リブ４ａ，４ｃ間の間隔を強制的に拡張させなければならない反面、前記リブはその内部に断熱材が充填されていて、相当の強度を有している。そのため、前記支持部材６と止め部材７の設置が容易ではなかった。
【００１３】
第三に、前記支持部材６とインナーケース３の壁面を介して収納されるカン１１は相当に加速化され前記止め部材７とインナーケース３に衝突する。この際、前記カン１１の内部には内容物が一杯入っているため、前記インナーケース３に加えられる衝撃は相当大きかった。従って、前記インナーケース３が破損したり激しい騒音が発生したりすることがあった。
【００１４】
第四に、前記止め部材７の構造のためカン１１の引き出し作業が容易ではなかった。図１３に示すように、カン１１の引き出しのためには、ユーザは片手で前記カンを持ち上げ、他の手でカンを掴むようになっている、即ち、カン１１を引き出すためにユーザは両手を使わなければならないので、相当に不便であった。更に、ユーザは前記止め部材７の下部の狭い空間に手を押し入れなければならないという不具合もあった。
【００１５】
一方、図１４に冷蔵室の棚に結合されるカン収納装置が示されている。これによれば、前記カン収納装置は上部面の後側に投入口２１が形成され、前面に引き出し口２２が形成される収納容器２０と、前記収納容器を棚に固定させる掛かり部２４とから構成されている。前記掛かり部２４は収納容器２０の前端部及び後端部にそれぞれ設置され、前記収納容器２０から延長して棚が挿入される係止溝２４ａから構成されている。この際、前記引き出し口２２に収納容器２０から延長してカンの自然な離脱を防止する支持ガイド２３が更に備えられる。
【００１６】
前記収納容器２０は、引き出し口２２側が下に位置するように、下向き傾斜した状態で棚に固定される。これにより、前記投入口２１を介してカンが投入される場合、前記カンは収納容器２０の底面に沿って前記引き出し口２２側に転がり、前記支持ガイド２３によって止まるようになる。
【００１７】
しかしながら、前記カン収納装置は多様な大きさのカンが収容できないという問題点を引き起こした。これは、前記収納容器２０はカンの大きさに係らず一定の幅（ｗ）を有しているからである。従って、カンの長さが前記収納容器２０の幅より長い場合、前記カンは収納容器に収納されることができなかった。
【００１８】
そこで、本発明はドアの内部に設けられた断熱材の漏洩を防止し且つ設置作業の容易な冷蔵庫のカン収納装置を提供することにその目的がある。
本発明の他の目的は、カンの収納時に加えられる衝撃を最小化して、ドアの破損及び衝撃による騒音を最小化することのできる冷蔵庫のカン収納装置を提供することにある。
本発明のまた他の目的は、カンの引き出し作業の容易な冷蔵庫のカン収納装置を提供することにある。
本発明のまた他の目的は、多様な大きさのカンを収容することのできる冷蔵庫のカン収納装置を提供することにある。
【００１９】
【課題を解決するための手段】
上記目的を達成するために、本発明は、ドアの内壁を形成し、一定の間隔をおいて互いに離隔された多数個のリブを有するインナーケースと、前記リブの間に設けられ、前記インナーケースの内壁から離隔してカン収納空間を形成する支持部材と、前記支持部材の下に位置し、前記インナーケースの壁面と離隔するように前記リブの間に設けられて、前記カン収納空間を通して落下するカンを停止させる止め部材と、前記リブに設けられ、前記結合部材の各端部が着脱可能に収容される開口部を有する少なくとも一つ以上の結合突起と、を含む冷蔵庫のカン収納装置を提供する。
【００２０】
従って、本発明によれば、前記支持部材と止め部材が前記リブに間接に結合されることで、前記インナーケースに別途の結合孔を形成する必要がない。従って、前記ドアに断熱材が内装されている場合、前記断熱材が漏洩されるような問題を解決することができる。
【００２１】
また、本発明は、ドアの内壁を形成し、互いに離隔した多数個のリブを有するインナーケースと、
前記リブの間に設けられ、該リブに結合される両端部を有する結合部材と、
前記結合部材に結合され、前記インナーケースの内壁から離隔してカン収納空間を形成する支持部材と、
前記支持部材の下に位置し、前記カン収納空間を通して落下するカンを停止させる止め部材と、
前記カン収納空間を通して落下するカンの速度を減速する減速手段とを含み、前記減速手段は前記支持部材に連結され、前記支持部材と前記ドアの内壁との間の空間を減らす方向に前記支持部材に復元力を加える弾性部材を含む冷蔵庫のカン収納装置が提供される。
【００２２】
従って、本発明によれば、前記減速手段によってカンの落下速度が相当に減少し、この場合、前記インナーケースに加えられる衝撃量が相当に減少する。
これにより、前記インナーケースの破損及び騒音の発生をかなり減少させることができる。
【００２３】
また、本発明は、ドアの内壁を形成し、一定の間隔をおいて互いに離隔された多数個のリブが前記ドアの縦方向に沿って突出するインナーケースと、前記リブの間に設けられ、前記インナーケースの壁面と離隔してカン収納空間を形成する支持部材と、前記支持部材の下に前記インナーケースの壁面から離隔するように設けられ落下するカンを停止させ、カンの引き出しが容易であるようにその中心部が開放された止め部材とを含む冷蔵庫のカン収納装置を提供する。
【００２４】
従って、本発明によれば、前記止め部材の中心部が完全に開放されているため、ユーザが前記中心部を介してカンを引き出す場合、その作業が容易に行われることができる。
【００２５】
最後に、本発明は第１本体及び第２本体から構成され、前記第１本体と第２本体との結合時にカン収納空間を形成する収納容器と、該収納容器の一側に形成される投入部と、前記収納容器の前記投入部と対向する他側に形成される引き出し部と、前記収納容器を庫内の棚に固定させる固定手段と、前記第１本体と第２本体とを結合し、その第１本体と第２本体の間隔を調節してカン収納空間の幅を変化せしめる結合手段とを含む冷蔵庫のカン収納装置を提供する。
【００２６】
従って、本発明によれば、前記結合手段によって前記第１本体と第２本体との間隔が変化し、この場合、前記収納容器の幅が変化する。これにより、前記第１本体と第２本体との間隔を調節することで、多様な大きさのカンを全て収容することができる。
【００２７】
【発明の実施の形態】
以下、本発明の好ましい実施形態を添付の図面に基づいて詳細に説明する。
【００２８】
（第１実施形態）
まず、図１は本発明の第１実施形態による冷蔵庫のカン収納装置の構造を示す斜視図であり、図２は図１によるカン収納装置の断面図である。
図１に示すように、本発明の第１実施形態による冷蔵庫のカン収納装置は、冷蔵室用ドア１の内壁に形成される多数個のリブ４ａ，４ｃと、該リブに設けられ、カン収納空間１００を形成する支持部材１１０と、前記支持部材の下に設けられる止め部材１２０とから構成されている。
【００２９】
前記冷蔵室用ドア１は鋼板材のアウトケース２と、該アウトケース２に結合され、前記ドア１の内壁を形成するインナーケース３とから構成されている。
この際、前記アウトケース２とインナーケース３との間に冷蔵室の温度を外部から遮断する断熱材（図示せず）が充填される。
【００３０】
前記リブはインナーケース３の内壁から前記ドア１の縦方向に沿って突出する。即ち、前記リブはインナーケース３と一体に成型される。この際、前記リブは図面上インナーケース３の左側に形成される左側リブ４ａと、右側に形成される右側リブ４ｃと、前記左側リブ４aと右側４ｃとの間に形成される区画リブ４ｂとから構成されている。
【００３１】
前記支持部材１１０はドア１の縦方向に沿って形成され、カンの収納を案内する縦バー１１１と、前記左側リブ４ａ及び区画リブ４ｃに結合され、前記縦バー１１１を固定する上部の横バー１１２及び下部の横バー１１３から構成されている。この際、前記縦バー１１１はインナーケース３の壁面から所定の間隔に離隔するように設けられる。従って、前記縦バー１１１とインナーケース３の壁面との間にカン収納空間１００が形成される。前記カン収納空間１００を通してカンは横にされた状態に収納される。
【００３２】
前記止め部材１２０は、両端がそれぞれ前記左側リブ４ａと区画リブ４ｃに結合される棒状部材として、前記カン収納空間１００を通して落下するカンを強制的に停止させる。
この際、前記支持部材１１０と止め部材１２０を前記リブ４ａ，４ｃに間接的に結合するために、前記左側リブ４ａと区画リブ４ｃとにそれぞれ結合手段１５０が設けられる。前記結合手段１５０は左側リブと区画リブとにそれぞれ設置される結合突起１５１〜１５３である。一例として、前記区画リブ４ｃの左側の隔壁に設けられる３つの結合突起１５１〜１５３が示されている。この際、前記左側リブ４ａにも前記区画リブ４ｃの結合突起と対応する位置にそれぞれ結合突起が設けられる。
【００３３】
この際、説明の便宜のために、前記結合突起の中区画リブ４ｃの上部に位置するものを第１結合突起１５１とし、前記区画リブ４ｃの下部に位置するものを第３結合突起１５３とし、前記第１結合突起１５１と第３結合突起１５３との間に位置するものを第２結合突起１５２とする。この場合、前記第１結合突起１５１を介して前記支持リブの上部の横バー１１２が結合され、前記第２結合突起１５２を介して前記支持リブの下部の横バー１１３が結合され、前記第３結合突起１５３を介して前記止め部材１２０が結合される。
【００３４】
前記結合突起１５１〜１５３はＵ字状であって、前記支持部材の上下部の横バー１１２，１１３の両端部と前記止め部材１２０の両端部が安着される結合溝１５１ａ，１５２ａ，１５３ａを有する。この際、前記結合溝１５１ａ〜１５３ａの開口部１５１ｂ，１５２ｂ，１５３ｂは結合突起の上部に形成される。
この際、前記結合溝の開口部１５１ｂ〜１５３ｂは、前記インナーケース３の壁面に向かうように所定の角度で傾斜することが好ましい。これは、前記支持部材１１０と止め部材１２０の設置を容易にするためである。即ち、前記支持部材１１０と止め部材１２０がそれぞれ前記結合溝の開口部１５１ｂ〜１５３ｂに挿入された状態で、前記支持部材１１０と止め部材１２０を下に傾けて引っ張ると、前記支持部材と止め部材は前記結合溝１５１ａ〜１５３ａに完全に挿入される。
【００３５】
一方、前記結合突起１５０はフォーミング加工などによって前記インナーケース３と一体に形成されるか、あるいは前記インナーケース３から分離可能な部材として前記リブ４ａ，４ｃの側壁に取り付けられる。
前記支持部材１１０と止め部材１２０が上述した過程によって前記インナーケース３に結合された状態が図２に示されている。
【００３６】
図２に示すように、前記支持部材の縦バー１１１とインナーケース３の壁面との間にカン収納空間１００が形成される。この際、前記支持部材は、上下部の横バーがそれぞれ第１結合突起１５１及び第２結合突起１５２の結合溝に挿入されていることにより、前記インナーケース３のリブにしっかりと固定される。また、前記止め部材１２０もその両端部が第３結合突起１５３の結合溝に挿入されているため、前記インナーケース３のリブにしっかりと固定される。
【００３７】
この場合、前記支持部材の縦バー１１１の上端と前記インナーケース３の壁面との間に投入口１０１が形成され、前記縦バー１１１の下端と止め部材１２０との間に引き出し口１０３が形成される。従って、カン１１が前記投入口１０１を介して横にされた状態に投入されると、前記カンはカン収納空間１００を通して自然落下を行う。この際、前記カン１１は止め部材１２０によって停止し、これにより、前記カン収納空間に多数のカンが横にされた状態で積載される。
【００３８】
例えば、本発明の第１実施形態によれば、前記支持部材１１０と止め部材１２０が前記結合突起１５０を介してリブ４ａ，４ｃに結合されることにより、前記リブに別途の結合孔の形成が不要である。従って、前記インナーケース３を介して断熱材が外部に漏洩される問題を簡単に解決できる。これと共に、前記支持部材１１０と止め部材１２０が前記結合突起の結合溝１５１ａ〜１５３ａに挿入されることで、前記支持部材と止め部材の長さが前記リブ４ａ，４ｃ間の間隔より長い必要はない。従って、前記支持部材１１０と止め部材１２０を設置するため前記リブ４ａ，４ｃ間の間隔を強制的に拡張させる必要がなく、これらの設置作業が容易に行われ得る。
【００３９】
（第２実施形態）
次に、図３は本発明の第２実施形態による冷蔵庫のカン収納装置の構造を示す斜視図であり、図４Ａ及び図４Ｂは図３によるカン収納装置の互いに異なる形態を示す断面図である。
【００４０】
図３に示すように、本発明の第２実施形態による冷蔵庫のカン収納装置は、冷蔵室用ドア１の内壁に形成される多数個のリブ４ａ，４ｃと、該リブに設けられカン収納空間２００を形成する支持部材２１０と、前記支持部材の下に設けられる止め部材２２０と、前記カン収納空間を通して落下するカンの速度を強制に減速させる減速手段とから構成されている。
【００４１】
前記冷蔵室用ドア１の構成は図１のそれと同様であって、その詳細な説明は省略する。この際、前記リブはインナーケース３の内壁から前記ドア１の縦方向にそって突出し、図面上、前記インナーケース３の左側に形成される左側リブ４ａと右側に形成される右側リブ４ｂと、前記左側リブ４aと右側４ｂとの間に形成される区画リブ４ｃとから構成されている。
【００４２】
前記支持部材２１０はドア１の縦方向に沿って形成され、カンの収納を案内する縦バー２１１と、前記左側リブ４ａ及び区画リブ４ｃに結合され、前記縦バー２１１を固定する回動バー２１２とから構成されている。この際、前記縦バー２１１はインナーケース３の壁面から所定の間隔に離隔し、その間の空間を通してカン収納空間２００が形成される。そして、前記回動バー２１２は減速手段として、前記左側リブ４ａと区画リブ４ｃとに回転可能に設けられて前記支持部材２１０の回動軸を形成する。
【００４３】
前記止め部材２２０は両端がそれぞれ前記左側リブ４ａと区画リブ４ｃとに結合される棒状部材として、前記カン収納空間２００を通して落下するカンを強制的に停止させる。
【００４４】
一方、前記左側リブ４ａと区画リブ４ｃの互いに向き合う側壁に、前記回動バー２１２と止め部材２２０とが結合される多数個の結合孔５ａ，５ｂ，５ｃが形成される。この際、前記結合孔は回動バー２１２の端部が挿入される第１結合孔５ａと、前記止め部材２２０の端部が挿入される第２結合孔５ｃとから構成される。
【００４５】
前記減速手段は上述した回動バー２１２と共に、前記支持部材の縦バー２１１に支持される弾性部材から構成されている。この際、前記弾性部材は支持部材２１０とインナーケース３との間の空間、即ち、前記カン収納空間２００を減らす方向に復元力を有するスプリングである。
【００４６】
これを具体的に説明すると、図４Ａに示すように、前記スプリング２４０はその一端が支持部材の縦バー２１１の下部に支持され、前記支持部材２１０をインナーケース３の壁面側に押し出す復元力を有する。この際、前記スプリング２４０の他端を支持するために、前記支持部材２１０から独立した固定バー２３０が更に設けられることが好ましい。前記固定バー２３０はインナーケース３の壁面から離隔するように、前記左側リブと区画リブとの間に設けられる。
この際、前記固定バー２３０とインナーケース３間の間隔は前記支持部材の縦バー２１１とインナーケース３間の間隔より広くとるべきである。
このために、図３に示すように、前記左側リブ４ａと区画リブ４ｃとにそれぞれ前記固定バーが挿入される第３結合孔５ｂが形成される。前記第３結合孔５ｂは第１結合孔５ａと第２結合孔５ｃとの間に位置する。
【００４７】
この場合、前記支持部材の縦バー２１１は前記スプリング２４０の復元力によって前記インナーケース３の壁面に対して傾斜するように設けられる。即ち、前記縦バー２１１は下部へ行くほど前記インナーケース３の壁面と間隔が狭くなる。これは、前記カン収納空間２００が下部へ行くほど狭くなることを意味し、これによってカン１１の落下速度を減速することができる。
【００４８】
図４Ａに示すように、前記カン収納空間の投入口２０１を介してカン１１が投入されると、前記カン１１はカン収納空間２００に沿って自由落下を行う。
この過程で、前記カン１１の落下速度はカン収納空間２００が次第に狭くなることによって減少するようになる。
この際、前記カン１１が落下しつつ前記支持部材の縦バー２１１を外側に押し、その結果、前記スプリング２４０が収縮すると共に、前記支持部材は回動バー２１２を基準に時計方向に回転を行う。その後、前記カン１１は支持部材を通過した後、前記止め部材２２０まで移動してから停止する。この際、前記スプリング２４０が反発し、前記支持部材は回動バー２１２を基準に半時計方向に回転を行い元位置に復帰するようになる。
【００４９】
一方、図４Ｂに示すように、前記支持部材の縦バー２１１の下部とインナーケース３の壁面との間にスプリング２５０が設けられる。前記スプリング２５０は支持部材の縦バー２１１をインナーケース３の壁面側に引っ張る復元力を有する。この場合にも、前記スプリング３によってカン収納空間２００は下部に行くほど狭くなり、これにより、カン１１の落下速度を適当に減少させることができる。
【００５０】
一方、前記支持部材の縦バー２１１の下部と前記インナーケース３の壁面間の間隔を弾力的に調節する構成はいくらでも変形可能である。例えば、前記支持部材の回動バー２１２の両端部にトーションスプリングを設置する場合、前記支持部材の縦バー２１１の下部と前記インナーケース３の壁面間の間隔を弾力的に調節することができる。
【００５１】
要するに、本発明の第２実施形態によれば、前記支持部材２１０の下部を弾力的に支持するスプリング２４０，２５０によってカンの落下速度が減少する。
従って、前記インナーケース３に加えられるカンの衝撃量を減らすことができ、これによって前記インナーケース３の破損及び衝突騒音を顕著に減少させることができる。
【００５２】
（参考例）
図５は本発明の参考例による冷蔵庫のカン収納装置の構造を示す斜視図であり、図６は図５によるカン収納装置の断面図である。
【００５３】
図５に示すように、本発明の参考例による冷蔵庫のカン収納装置は、冷蔵室用ドア１の内壁に形成される多数個のリブ４ａ，４ｃと、前記リブに設けられ、カン収納空間３００を形成する支持部材３１０と、前記支持部材の下に設けられる止め部材３２０と、前記カン収納空間３００を通して落下するカンの速度を強制に減速させる減速手段とから構成されている。
【００５４】
前記冷蔵室用ドア１の構成は図１のそれと同様であって、その詳細な説明は省略する。この際、前記リブはインナーケース３の内壁から前記ドア１の縦方向にそって突出し、図面上、前記インナーケース３の左側に形成される左側リブ４ａと右側に形成される右側リブ４ｂと、該左側リブ４aと右側リブ４ｂとの間に形成される区画リブ４ｃとから構成されている。
【００５５】
前記支持部材３１０はドア１の縦方向に沿って形成され、カンの収納を案内する縦バー３１１と、前記左側リブ４ａ及び区画リブ４ｃに結合され、前記縦バー３１１を固定する上部の横バー３１２と下部の横バー３１３とから構成されている。この際、前記縦バー３１１はインナーケース３の壁面から所定の間隔に離隔され、その間の空間を通してカン収納空間３００が形成される。
【００５６】
前記止め部材３２０は両端がそれぞれ前記左側リブ４ａと区画リブ４ｃとに結合される棒状部材として、前記カン収納空間３００を通して落下するカンを強制的に停止させる。
【００５７】
一方、前記左側リブ４ａと区画リブ４ｃの互いに向き合う側壁に、前記上部の横バー３１２及び下部の横バー３１３と止め部材３２０とが結合される多数個の結合孔５ａ，５ｂ，５ｃが形成される。この際、前記結合孔は上部の横バー３１２の端部が挿入される第１結合孔５ａと、下部の横バー３１３の端部が挿入される第２結合孔５ｂ及び、前記止め部材３２０の段部が挿入される第３結合孔５ｃから構成される。
【００５８】
前記減速手段はインナーケース３の壁面に設けられ、カンの落下を一時的に妨げる少なくとも一つ以上の緩衝突起３３０である。前記緩衝突起３３０はドア１の横方向に沿って設けられ、前記インナーケース３の壁面から所定の高さだけ突出する。一例として、前記インナーケース３の壁面に３つの緩衝突起３３０が設けられたものが示されている。
【００５９】
この際、前記緩衝突起３３０はフォーミング加工などによって前記インナーケース３と一体に形成されるか、それとも前記インナーケース３の壁面に取り付けられる独立部材であり得る。前記緩衝突起３３０が独立部材である場合、前記緩衝突起３３０は弾性材質からなることが好ましい。この場合、前記緩衝突起３３０は落下するカンとの衝突時に衝撃量を自体的に吸収する。
【００６０】
図６に示すように、前記カン収納空間の投入口３０１を介してカン１１が投入されると、前記カン１１はカン収納空間３００に沿って自由落下を行う。
この過程で、前記カン１１は緩衝突起３３０にぶつかりつつジグザグに落下する。この際、前記カン１１の落下速度は顕著に低減する。
その後、前記カン１１は支持部材を通過した後、前記止め部材３２０まで移動した後停止する。
【００６１】
要するに、本発明の参考例によれば、前記緩衝突起３３０によってカンの落下運動が一時的に妨害を受けることにより、前記カンの落下速度が減少する。従って、前記インナーケース３に加えられるカンの衝撃量を減らすことができ、これによって前記インナーケース３の破損及び衝突騒音が顕著に減少することができる。
【００６２】
（第３実施形態）
図７は本発明の第３実施形態による冷蔵庫のカン収納装置の構造を示す斜視図であり、図８は図７によるカン収納装置の止め部材の構造を示す拡大斜視図である。
【００６３】
図７に示すように、本発明の第３実施形態による冷蔵庫のカン収納装置は、冷蔵室用ドア１の内壁に形成される多数個のリブ４ａ，４ｃと、前記リブに設けられ、カン収納空間４００を形成する支持部材４１０と、前記支持部材の下に設けられる止め部材４２０とから構成されている。
【００６４】
前記冷蔵室用ドア１の構成は図１のそれと同様であって、その詳細な説明は省略する。この際、前記リブはインナーケース３の壁面から前記ドア１の縦方向にそって突出し、図面上、前記インナーケース３の左側に形成される左側リブ４ａと右側に形成される右側リブ４ｂと、前記左側リブ４aと右側４ｂとの間に形成される区画リブ４ｃとから構成されている。
【００６５】
前記支持部材４１０はドア１の縦方向に沿って形成され、カンの収納を案内する縦バー４１１と、前記左側リブ４ａ及び区画リブ４ｃに結合され、前記縦バー４１１を固定する上部の横バー４１２と下部の横バー４１３とから構成されている。この際、前記縦バー４１１はインナーケース３の壁面から所定の間隔に離隔し、その間の空間を通してカン収納空間４００が形成される。
【００６６】
この際、前記左側リブ４ａと区画リブ４ｃの互いに向き合う側壁に、前記上部の横バー４１２及び下部の横バー４１３が結合される多数個の結合孔５ａ，５ｂ，５ｃが形成される。この際、前記結合孔は上部の横バー４１２の端部が挿入される第１結合孔５ａと、下部の横バー４１３の端部が挿入される第２結合孔５ｂとから構成される。
【００６７】
前記止め部材４２０はインナーケース３の壁面から所定の間隔に離隔するように、前記左側リブ４ａと区画リブ４ｃとの間に設けられる棒状部材である。
このために、前記左側リブ４ａと区画リブ４ｃとにそれぞれ前記止め部材４２０の端部が挿入される第３結合孔５ｃが形成される。この際、前記止め部材４２０は、カンの引き出し工程が容易となるようにその中心部が完全に開放されている。
【００６８】
これを詳述すると、図８に示すように、前記止め部材４２０はカン１１の離脱を防止すると共に、前記リブ４ａ，４ｃに結合される結合部４２１と、その結合部から延長してカンを支持する支持部とから構成されている。
前記結合部４２１は左側リブの第３結合孔５ｃに挿入され、前記左側リブ４ａからドアの横方向に沿って所定の長さだけ延長された第１結合部４２１ａと、区画リブ４ｃの第３結合孔５ｃに挿入され、前記区画リブからドアの横方向に沿って所定の長さだけ延長された第２結合部４２１ｂとから構成されている。
この際、前記第１結合部４２１ａと第２結合部４２１ｂ間の間隔はカン１１の長さより短かくとるべきである。
【００６９】
前記支持部は第１結合部４２１ａ及び第２結合部４２１ｂからそれぞれ下に延長する垂直連結部４２３と、前記垂直連結部からインナーケース３の壁面側に延長する後退連結部４２５と、その後退連結部の間を連結する水平連結部４２７とから成っている。従って、カン１１は前記後退連結部４２５と水平連結部４２７の上部に安着される。この際、前記後退連結部４２５と水平連結部４２７はインナーケース３の底面から適当に離隔されることが好ましい。これは、カンの引き出し作業を容易にするためである。
【００７０】
一方、前記止め部材４２０は結合部４２１と支持部４２３〜４２７とが互いに連結された一つの部材から構成されることが一例に示されているが、前記結合部と支持部とが互いに分離される２つの部材から構成されることもできる。
【００７１】
本実施形態の構成によれば、カン収納空間４００に沿って落下するカン１１は上記止め部材４２０の支持部に安着し、前記結合部４２１によって外部に離脱されることが防止される。この場合、図８に示すように、前記カン１１の正面は外部に完全に露出される。従って、ユーザは前記結合部４２１の間の空間を介してカン１１を把持した後、前記カンを結合部４２１と支持部材４１０間の空間を通して外部に引き出すようになる。かかる過程の中、ユーザはカンを把持するために、前記止め部材４２０とインナーケース３間の空間に手を押し入れなければならないなどの作業が不要となる。
【００７２】
要するに、本発明の第３実施形態によれば、前記止め部材４２０の中心部が完全に開放されていることから、カンの正面が外部に完全に露出される。従って、カンの引き出し工程が相当に容易に行われ得る。
【００７３】
（第４実施形態）
最後に、図９は本発明の第４実施形態による冷蔵庫のカン収納装置の構造を示す斜視図であり、図１０は図９によるカン収納装置の底面を示す底面斜視図である。
【００７４】
図９及び図１０に示すように、本発明の第４実施形態による冷蔵庫のカン収納装置は、互いに分離された２つの本体５１０，５２０からなり、内部にカン収納空間を形成する収納容器５００と、前記収納容器を冷蔵室の棚（図示せず）に固定させる固定手段と、前記本体の結合を支持すると共に、カンの大きさに従って前記カン収納空間を変化せしめる結合手段５３０，５４０，５５０から構成されている。
【００７５】
前記収納容器５００は互いに対向する面が開放された第１本体５１０及び第２本体５２０から構成されている。この際、前記第１本体５１０と第２本体５２０は断面が⊂状である。従って、前記第１本体５１０と第２本体５２０とが結合すると内部に一定の空間が形成され、これがカン収納空間である。
前記収納容器５００の上部面に後方にカンを投入できる投入部５０１が形成され、前記収納容器５００の正面にカンを引き出しできる引き出し部５０３が形成されている。この際、前記引き出し部５０３にカンの自然落下を防止する支持ガイド５０５が形成される。
【００７６】
前記支持ガイド５０５は収納容器５００の端部から一定の長さだけ延長された後、その先端が上向けに傾斜する。この際、前記支持ガイド５０５は第１本体５１０から延長する第１支持ガイド５０５ａと、第２本体５２０から延長する第２支持ガイド５０５ｂとから構成されている。前記支持ガイド５０５はカンの離脱が防止できる限り、前記第１支持ガイド５０５ａと第２支持ガイド５０５ｂの中何れか一方のみ形成されても十分である。
【００７７】
前記固定手段は棚が挿入される係止溝５１１ａ，５１３ａ，５２１ａ，５２３ａを有するフック部材５１１，５１３，５２１，５２３である。前記フック部材５１１〜５２３は収納容器５００の前後の端部にそれぞれ形成され、前記収納容器５００から延長して前記係止溝５１１a〜５２３ａが形成されるようにその先端が湾曲する。この際、前記フック部材は第１本体５１０から延長した一対の第１フック部材５１１，５１３と、第２本体５２０から延長した一対の第２フック部材５２１，５２３とから構成されている。この場合にも、前記フック部材は収納容器５００を棚に固定できる限り、前記第１フック部材５１１，５１３と第２フック部材５２１，５２３の中何れか一方のみ形成しても十分である。
【００７８】
前記結合手段の中任意の一つを説明すると、前記結合手段５３０は第１本体５１０と第２本体５２０とにそれぞれ互いに向き合うように形成される結合部５３３と、その結合部の間に共通に設置され、前記第１本体と第２本体との間の間隔を調節するスライドバー５３１とから構成されている。この際、前記スライドバー５３１は第１本体５１０と第２本体５２０とを結合する機能も共に行う。
【００７９】
前記結合部５３３にはスライドバー５３１が挿入され、摺動可能なスライドホール５３３ａが形成される。この際、互いに対向するスライドホール５３３ａの間に一つのスライドバー５３１が挿入される。従って、前記第１本体５１０と第２本体５２０の中任意の一方、又は両方共に前記スライドバー５３１に沿って一定の方向に運動することができる。
これにより、前記第１本体５１０と第２本体５２０との間隔が異なるようになり、これは収納容器の幅（ｗ）が変化することを意味する。
【００８０】
一方、前記スライドバー５３１の両端部に前記スライドバーがスライドホール５３３ａから完全に離脱することを防止するフランジ５３１ａが形成される。
この際、前記スライドバー５３１のフランジ５３１ａ間の距離は前記第１本体５１０と第２本体５２０とが最大に離隔され得る距離を決定する。
【００８１】
そして、前記収納容器５００の内部の底面に、前記第１本体５１０と第２本体５２０とに共通に設置されるプレート５６０が更に備えられる。前記プレート５６０は第１本体５１０と第２本体５２０間の間隔が大きすぎる場合、その隙間にカンが落ちることを防止する。
【００８２】
一方、前記結合手段は第１本体５１０と第２本体５２０との結合力を高めるために、前記第１本体と第２本体の任意の面に沿って多数個が形成され得る。
一例として、前記第１本体５１０と第２本体５２０の正面に第１結合部５３３が形成され、前記第１本体と第２本体の底面に第２結合部５４３及び第３結合部５５３が形成される。この際、前記第１結合部５３３を介して第１スライドバー５３１が設けられ、前記第２結合部５４３を介して第２スライドバー５４１が設けられ、前記第３結合部５３３を介して第３スライドバー５５１が設けられる。
【００８３】
このように構成されたカン収納装置の作用を以下に説明する。
まず、前記カン収納容器５００は正面が下に向けるよう棚に固定される。これは前記カン収納容器５００の内部のカンが自然に引き出し部５０３側に移動できるようにするためである。このために、前記カン収納容器５００の前端部に形成されたフック部材５１１，５２１の係止溝５１１ａ，５２１ａの高さが後端部に形成されたフック部材５１３，５２３の係止溝５１３ａ，５２３ａの高さより多少高く形成されることが好ましい。
【００８４】
従って、前記収納容器の投入部５０１を介してカンが投入される場合、前記カンは引き出し部５０３側にスムースに移動を行い、前記支持ガイド５０５によって停止する。その後、ユーザは前記支持ガイド５０５上に位置するカンを引き出す。
かかる過程の中、収納するカンの大きさが既存のカン収納空間より大きいか小さい場合、前記第１本体５１０又は第２本体５２０の中任意の一方が幅方向に沿って移動することにより、前記カン収納空間は拡張又は縮小可能である。
【００８５】
一方、前記カン収納空間の幅（ｗ）を調節するための構成において他の変形が可能である。例えば、前記第１本体５１０と第２本体５２０の中任意の一方にドーブテイルを形成し、他方にドーブテイル溝を形成する場合、前記ドーブテイルとドーブテイル溝との結合程度に応じて前記第１本体５１０と第２本体５２０との間隔が調節可能である。
【００８６】
又は、前記第１本体５１０と第２本体５２０の中任意の一方にガイドレール（例えば、断面⊂状のガイドレール）を形成し、他方に前記ガイドレールに挿入されるガイド部を形成する場合、前記ガイド部のスライディング程度に応じて前記第１本体５１０と第２本体５２０との間隔が調節可能である。
【００８７】
要するに、本発明の第４実施形態によれば、前記収納容器５００の幅がカンの大きさによって調節されることにより、多様な大きさのカンを収納することができる。
【００８８】
【発明の効果】
以上説明したように、本発明によれば次のような効果が得られる。
【００８９】
まず、カン収納空間を形成するためインナーケースに別途の結合孔を形成する必要がない。従って、前記インナーケースを通して断熱材が外部に漏洩されるような問題を解決できる。
【００９０】
カン収納区間を通して落下するカンの速度を減少させることができる。従って、前記インナーケースに加えられるカンの衝撃量を減らすことができ、これによって前記インナーケースの破損及び衝突騒音を顕著に減少させることができる。
【００９１】
カン収納空間の引き出し部の中の一部が完全に開放されていることから、カンの引き出しを容易に行うことができる。
【００９２】
カン収納空間の大きさがカンの大きさにより調節可能であって、多様な大きさのカンを収納することができる。
【図面の簡単な説明】
【図１】  本発明の第１実施形態による冷蔵庫のカン収納装置の構造を示す斜視図である。
【図２】  図１によるカン収納装置の断面図である。
【図３】  本発明の第２実施形態による冷蔵庫のカン収納装置の構造を示す斜視図である。
【図４】  図３によるカン収納装置の互いに異なる形態を示す断面図である。
【図５】  本発明の参考例による冷蔵庫のカン収納装置の構造を示す斜視図である。
【図６】  図５によるカン収納装置の断面図である。
【図７】  本発明の第３実施形態による冷蔵庫のカン収納装置の構造を示す斜視図である。
【図８】  図７によるカン収納装置の中、止め部材の構造を示す拡大斜視図である。
【図９】  本発明の第４実施形態による冷蔵庫のカン収納装置の構造を示す斜視図である。
【図１０】  図９によるカン収納装置の底面を示す底面斜視図である。
【図１１】  従来技術による冷蔵庫のカン収納装置の一実施形態を示す斜視図である。
【図１２】  図１１によるカン収納装置の断面図である。
【図１３】  図１１によるカン収納装置の中、止め部材の構造を示す拡大斜視図である。
【図１４】  従来技術による冷蔵庫のカン収納装置の他の実施形態を示す斜視図である。
【符号の説明】
１…冷蔵室用ドア
２…アウトケース
３…インナーケース
４ａ，４ｂ，４ｃ…リブ
１００…カン収納空間
１１０…支持部材
１２０…止め部材
１５０…結合手段
１５１，１５２，１５３…結合突起
【図１】
0004044400.tif 000002
【図２】
0004044400.tif 000003
【図３】
0004044400.tif 000004
【図４】
0004044400.tif 000005
【図５】
0004044400.tif 000006
【図６】
0004044400.tif 000007
【図７】
0004044400.tif 000008
【図８】
0004044400.tif 000009
【図９】
0004044400.tif 000010
【図１０】
0004044400.tif 000011
【図１１】
0004044400.tif 000012
【図１２】
0004044400.tif 000013
【図１３】
0004044400.tif 000014
【図１４】
0004044400.tif 000015